Podtech/llm-jp-corpus-v4-ja_patent huggingface dataset:
【手続補正書】
【提出日】平成22年7月6日(2010.7.6)
【手続補正１】
【補正対象書類名】明細書
【補正対象項目名】発明の名称
【補正方法】変更
【補正の内容】
【発明の名称】流体制御デバイス
【手続補正２】
【補正対象書類名】特許請求の範囲
【補正対象項目名】全文
【補正方法】変更
【補正の内容】
【特許請求の範囲】
【請求項１】
流体制御デバイスであって、この流体制御デバイスが、
流体のための流路が形成されたバルブボディと、
前記バルブボディ内に配設され、少なくとも第一の位置と第二の位置との間で変位するように構成された中空の制御部材と、
前記バルブボディに結合され、前記流路の中にまで延びる突出部を有し、前記制御部材が前記第一の位置と前記第二の位置との間に位置するとき、前記流路に沿って流れる流体のうちの少なくとも一部を導くように配置されたボンネットと、を備えており、
前記突出部が、連続して湾曲した凸状の突出部を有し、
前記湾曲した凸状の突出部の全体が、実質上、放物線状の断面を備え、
前記湾曲した凸状の突出部の第１の部分は、前記中空の制御部材の内径よりも大きい外径を有し、
前記湾曲した凸状の突出部の第２の部分は、前記中空の制御部材の内径より小さい外径を有し、
前記制御部材が前記第二の位置にあるとき、前記制御部材が前記湾曲した凸状の突出部と当接し、前記湾曲した凸状の突出部の第２の部分が前記制御部材に受容され、前記湾曲した凸状の突出部の第１の部分が前記制御部材の外側に位置するように、構成されている。
【請求項２】
前記ボンネットに、前記制御部材の一部を摺動可能に受容する貫通孔が形成されている、請求項１記載の流体制御デバイス。
【請求項３】
前記ボンネット内の前記貫通孔が、パッキンを受けて前記制御部材をシールするためのパッキン用穴を有している、請求項２記載の流体制御デバイス。
【請求項４】
前記ボンネットは、前記制御部材が前記第二の位置に置かれたとき、前記制御部材によりシール状態を形成するべく当接するように構成された着座面を有する、請求項１記載の流体制御デバイス。
【請求項５】
前記突出部に前記着座面が形成されており、該突出部の少なくとも一部が前記バルブボディの中にまで延びている、請求項４記載の流体制御デバイス。
【請求項６】
前記制御部材が、前記バルブボディ内に摺動可能に配設される弁体を有しており、該弁体は、前記制御部材が前記第二の位置におかれているとき、前記ボンネットの前記着座面にシール状態を形成するべく当接するように構成されている、請求項４記載の流体制御デバイス。
【請求項７】
前記バルブボディ内に固定され、前記弁体を摺動可能に導くケージをさらに備えている、請求項６記載の流体制御デバイス。
【請求項８】
前記ケージは、前記制御部材が少なくとも前記第二の位置におかれているとき、前記バルブボディ内を流体が流れることを可能とする少なくとも一つのケージ窓部を有している、請求項７に記載の流体制御デバイス。
【請求項９】
前記弁体は、前記制御部材が少なくとも前記第一の位置におかれているとき、前記弁体を通って流体が流れることを可能とする弁体開口部が形成された、ウェブ付き弁体を有している、請求項７記載の流体制御デバイス。
【請求項１０】
流体制御デバイスであって、
この流体制御デバイスは、流体のための流路が形成されたバルブボディと、該バルブボディに結合されているボンネットと、前記バルブボディ内に配置されている制御部材と、を有し、
前記ボンネットには、突出部が形成されており、かかる突出部は、連続して湾曲した凸状の突出部を有し、
前記湾曲した凸状の突出部の全体は実質上放物線状の断面を有するとともに、該凸状の突出部が前記バルブボディの中まで延び、且つ、少なくとも該突出部の一部が前記流路内に位置するように延びて、該流路に沿って流れる流体のうちの少なくとも一部を導くように配置されており、
前記制御部材は、少なくとも前記ボンネットから離間した第一の位置と前記ボンネットとの間でシールされた状態を形成する第二の位置との間で、変位するように配置されるとともに、
この制御部材が前記第二の位置に位置するときに、前記湾曲した凸状の突出部の第１の部分がこの制御部材の中に位置し且つ該湾曲した凸状の突出部の第２の部分がこの制御部材の外側に位置するように構成されている。
【請求項１１】
前記ボンネットには、前記制御部材の一部を摺動可能に受容する貫通孔が形成されている、請求項１０記載の流体制御デバイス。
【請求項１２】
前記ボンネット内の前記貫通孔が、パッキンを受容して前記制御部材をシールするための、パッキン用穴を有している、請求項１１記載の流体制御デバイス。
【請求項１３】
前記突出部は、前記制御部材が前記第二の位置におかれているとき、前記制御部材に当接してシール状態を形成する着座面を有している、請求項１０記載の流体制御デバイス。
【請求項１４】
前記制御部材が前記バルブボディ内に摺動可能に配設される弁体を有しており、該弁体は、前記制御部材が前記第二の位置におかれているとき、前記突出部の前記着座面にシール状態を形成するよう当接するように構成されている、請求項１３記載の流体制御デバイス。
【請求項１５】
前記バルブボディ内に固定され、前記弁体を摺動可能に導くケージをさらに備えている、請求項１４記載の流体制御デバイス。
【請求項１６】
前記ケージは、前記制御部材が少なくとも前記第二の位置におかれているとき、前記バルブボディ内を流体が流れるのを可能とする少なくとも一つのケージ窓部を有している、請求項１５記載の流体制御デバイス。
【手続補正書】
【提出日】平成22年8月27日(2010.8.27)
【手続補正１】
【補正対象書類名】特許請求の範囲
【補正対象項目名】全文
【補正方法】変更
【補正の内容】
【特許請求の範囲】
【請求項１】
現場硬化パイプライナーを取付けるための反転スリーブアセンブリであって、前記アセンブリが、
後端部及び先端部を有し、前記後端部と前記先端部との間の可撓性スリーブの側面に取付けられた第１流体入口ポートを備える可撓性管状スリーブと；
その側壁に形成された第２流体入口ポートを有する実質的に剛体なバンディングブートと；
を備え、
前記可撓性スリーブの先端部は、前記バンディングブートの後端部に固定されている反転スリーブアセンブリ。
【請求項２】
前記スリーブが、吸収材料の内側の可撓性管状層と、不浸透性材料の層とを有する請求項１に記載の反転スリーブアセンブリ。
【請求項３】
前記可撓性スリーブが、吸収材料の複数の層を備える請求項２に記載の反転スリーブアセンブリ。
【請求項４】
前記可撓性スリーブが、その寸法安定性を増すための強化材を備える請求項１に記載の反転スリーブアセンブリ。
【請求項５】
前記スリーブが、吸収材料の内側の可撓性層と、不浸透性材料の層とを有し、前記強化材が前記吸収材料内である請求項４に記載の反転スリーブアセンブリ。
【請求項６】
前記スリーブが、吸収材料の内側の可撓性層と、不浸透性材料の層とを有し、前記強化材が前記不浸透性層内である請求項４に記載の反転スリーブアセンブリ。
【請求項７】
前記可撓性スリーブのポートに接続されたレイフラットホースと組み合わせ、前記バンディングブートを介して延伸する請求項１に記載の反転スリーブアセンブリ。
【請求項８】
前記可撓性スリーブが、前記スリーブの先端部において、折り目でそれ自体の上に反転される請求項１に記載の反転スリーブアセンブリ。
【請求項９】
前記スリーブが吸収材料を備える層と、不浸透性材料を備える層とを含み、前記層は、前記吸収材料を備える層が前記側壁の内面及び前記側壁の外面を形成するように配置されている請求項１に記載の反転スリーブアセンブリ。
【請求項１０】
前記バンディングブートが実質的に円筒形である請求項１に記載の反転スリーブアセンブリ。
【請求項１１】
前記可撓性スリーブが、反転される前記ライナーと同じ寸法である請求項１に記載の反転スリーブアセンブリ。
【請求項１２】
反転装置と組み合わせられる反転スリーブアセンブリであって、前記反転装置が、第１及び第２グランドを備え、前記第１及び第２グランドの各々が、その前記後端部と前記先端部との間の前記スリーブに沿って軸方向に配置され、前記スリーブのポートが前記第１及び第２グランドの間のスリーブに沿って軸方向に配置され、前記第１及び第２グランドの各々は、前記スリーブの対向する内面が互いから自由に離れる開位置と、前記グランドが各グランドで前記スリーブを通る流体の流れを制限するために、互いに比較的近接した前記スリーブの内面を保持する閉位置との間で前記スリーブに対して移動可能である請求項１に記載の反転スリーブアセンブリ。
【請求項１３】
ライナーを既設導管に反転させる方法であって、前記方法が、
可撓性管状スリーブと、実質的に剛体なバンディングブートとを有する反転スリーブアセンブリを、前記バンディングブートの上流に少なくとも一つの剛体グランドを備える反転装置に載置する工程と；
前記スリーブの後端部を前記バンディングブートが前記グランドの下流にあるように前記装置に固定する工程と；
樹脂含浸現場硬化ライナーの供給を前記スリーブ及びバンディングブートに通し、前記ライナーを前記バンディングブートの先端部に固定する工程と；
前記ライナーにシールを形成するために前記可撓性スリーブで前記グランドを閉じる工程と；
前記バンディングブートの流体入口ポートを通じて加圧反転流体を前記ライナーに導入する工程と；
前記ライナーを前記流体入口ポートを通じて導入された前記流体に応じて前記導管に反転させる工程と、
を含む方法。
【請求項１４】
上方アクセスポイントから第２のアクセスポイントまで可撓性樹脂含浸ライナーを反転させて、前記ライナー内の樹脂を硬化させることで既設管路をトレンチレス修繕する方法であって、前記方法が、
第１の流体入口ポートを有する可撓性スリーブを有する反転スリーブアセンブリを取付ける工程であって、上方の剛体な選択的に動作可能なグランドと、下流に下方の剛体で選択的に動作可能なグランドとを有する反転装置にあり、なおかつ前記第１の流体入口ポートが二つのグランドの間にあり、かつ実質的に剛体なバンディングブートが前記下方グランドの下流にあるように前記上方グランドから隔離された第２の流体入口ポートを有する前記バンディングブートに前記可撓性スリーブが固定されている、工程と；
樹脂含浸ライナーを前記スリーブ及びバンディングブートに挿入し、折り返し、前記ライナーを前記バンディングブートの先端部に固定する工程と；
前記ライナーに係合するように前記下方グランドを閉じる工程と；
前記ライナーが内張りされるように前記導管の内側に反転させるために、反転流体を前記第２の流体入口ポートに導入する工程と；
前記反転の終わりに、前記上方グランドを閉じ、前記下方グランドを開く工程と；
前記樹脂を硬化させるよう硬化流体を前記第１の流体入口ポートを通じて前記ライナーに導入する工程と；
前記ライナーを硬化させる工程と、
を含む方法。
【手続補正書】
【提出日】平成22年8月31日(2010.8.31)
【手続補正１】
【補正対象書類名】特許請求の範囲
【補正対象項目名】全文
【補正方法】変更
【補正の内容】
【特許請求の範囲】
【請求項１】
個体における肝機能を評価する方法であって、個体における(a)非対称性ジメチルアルギニン（ADMA）および対称性ジメチルアルギニン（SDMA）の合計レベル、および(b)虚血修飾アルブミン（IMA）：アルブミンの比（IMAR）を測定し、前記方法が個体由来のサンプルに対して実施されることにより、該個体における肝機能を評価することを含む、上記方法。
【請求項２】
前記方法が、個体における肝疾患の進行をモニターする、個体における肝疾患の予後を予測する、肝移植後の肝機能を評価する、肝移植後の移植片における再灌流傷害時の肝機能を評価する、または多臓器不全および／もしくは敗血症を発症する患者における肝機能を評価することを目的とする、請求項1に記載の方法。
【請求項３】
前記個体が肝不全に罹患している、請求項1または2のいずれか一項に記載の方法。
【請求項４】
前記個体が、慢性肝不全、acute-on-chronic型肝不全または急性肝不全に罹患している、請求項3に記載の方法。
【請求項５】
前記個体が、アルコール性肝疾患に罹患している、請求項1〜4のいずれか一項に記載の方法。
【請求項６】
前記個体が、肝硬変、または肝硬変および／またはアルコール性肝炎に罹患している、請求項5に記載の方法。
【請求項７】
肝疾患に罹患していない個体または肝疾患の生存患者である個体のADMAとSDMAの合計レベルと比較したADMAとSDMAの合計レベルの増加が、個体における死亡リスクの増加を示す、請求項1〜6のいずれか一項に記載の方法。
【請求項８】
肝疾患に罹患していない個体または肝疾患の生存患者である個体のIMARと比較したIMARの増加が、個体における死亡リスクの増加を示す、請求項1〜7のいずれか一項に記載の方法。
【請求項９】
肝疾患に罹患していない個体または肝疾患の生存患者である個体と比較したADMAとSDMAの合計レベルの増加およびIMARの増加が、個体における死亡リスクの増加を示す、請求項7または8に記載の方法。
【請求項１０】
１種以上の別の肝疾患の予後スコアを測定する、請求項1〜9のいずれか一項に記載の方法。
【請求項１１】
前記１種以上の別の肝疾患の予後スコアが、Child-Pughスコアリングシステム、West Haven Criteria、Glasgow Coma Scale、改変Child-Pughスコアリングシステム、SOFA、MELDまたはAPACHE IIの1つ以上である、請求項10に記載の方法。
【請求項１２】
前記サンプルが血漿サンプルまたは肝組織サンプルである、請求項1〜11のいずれか一項に記載の方法。
【手続補正書】
【提出日】平成22年6月2日(2010.6.2)
【手続補正１】
【補正対象書類名】明細書
【補正対象項目名】００４２
【補正方法】変更
【補正の内容】
【００４２】
以下の方法で、本発明による方法に有用なホースを作製した。最初に、ＴＥＥ Ｈｙｔｒｅｌ（登録商標）５５６４（本件特許出願人より入手可能）より、直径６．４ｍｍの中実ロッドの形態のマンドレルを作製した。厚さ０．６５ｍｍのＺｙｔｅｌ（登録商標）４２（本件特許出願人より市販される高ＭＷ ＰＡ６６）の内層と、Ｂｙｎｅｌ（登録商標）４２０６（本件特許出願人より市販される無水マレイン酸をグラフトしたポリエチレン）の厚さ０．１ｍｍの外部結合層とから構成されるベニヤを、マンドレルの上に押し出した。次に、この組立体を、ＢＦＷ ４６として入手可能でありＣａｎａｄａのＱｕｅｂｅｃのＬａｃｈｉｎｅのＪａｍｅｓ Ｄａｗｓｏｎ Ｅｎｔｅｒｐｒｉｓｅｓ Ｌｔｄより入手した金属−ポリマー積層体と積層した。この積層体は、低密度ポリエチレンの内層、ＥＥＡの結合層、アルミニウム箔（厚さ１０ミクロン）、およびポリエチレンテレフタレート（ＰＥＴ）の外層から構成され、全体の厚さは０．１ｍｍであった。積層は、組立体を通すのに適切な大きさの通路を有する加熱ダイを使用して行った。前ステップの組立体をスプールから巻き出し、これに金属−ポリマー積層体のストリップを巻き付け、ストリップの２つの長手方向端部が互いにからみあうようにした。この組立体を、１４０Ｃに加熱したダイに通して接合させた。封止部を損傷せず下にある層が露出しないように、注意深く過剰の積層体端部を切り落とした。この組立体の上にＴＰＶ層を押し出した。続いて、ＰＥＴフィラメントの編組を適用し、その表面上にＥＴＰＶの外部保護層を押し出した。続いて、マンドレルを引き抜くことで多層ホースを作製した。
本発明は以下の実施の態様を含むものである。
１．冷却システムまたは空調システムの中で伝熱流体を移送する方法であって、前記システムの１つまたは複数のホースの中を通過して伝熱流体を循環させるステップを含み、前記伝熱流体が、ＣＯ２およびＨＦＣ−１３４ａからなる群より選択される化合物を含み、前記１つ以上のホースが：
（ａ）内表面および外表面を有する熱可塑性ベニヤの最内層と；
（ｂ）前記最内層の上に配置される結合層と；
（ｃ）前記結合層の上に配置され、および前記ベニヤの前記外表面に対して適合性または接合可能であるポリマー層と、金属箔の薄層と、前記金属箔を保護する別のポリマー層とから構成される金属−ポリマー積層体と；
（ｄ）前記金属−ポリマー積層体の上に配置される、エラストマー材料からなる編組下層と；
（ｅ）前記編組下層の上に配置される補強編組層と；
（ｆ）前記補強編組層の上に配置されるエラストマー材料の外層と
を含む、最内表面から最外表面まで配列された一連の層を含む、方法。
２．前記ホースが、圧縮機の出口と凝縮器の入口との間に接続される、前記１に記載の方法。
３．前記ホースが、前記凝縮器の出口と蒸発器の入口との間に接続される、前記１に記載の方法。
４．前記ホースが、前記蒸発器の出口と前記圧縮機の入口との間に接続される、前記１に記載の方法。
５．前記金属−ポリマー積層体層中の前記金属箔がアルミニウムでできている、前記１に記載の方法。
６．１つ以上の追加の編組層（ｅ）および／または１つまたは複数の追加の外層（ｆ）をさらに含む、前記１に記載のホース。
【手続補正２】
【補正対象書類名】特許請求の範囲
【補正対象項目名】全文
【補正方法】変更
【補正の内容】
【特許請求の範囲】
【請求項１】
冷却システムまたは空調システムの中で伝熱流体を移送する方法であって、
前記システムの１つまたは複数のホースの中を通過して伝熱流体を循環させるステップを含み、
前記伝熱流体が、ＣＯ２およびＨＦＣ−１３４ａからなる群より選択される化合物を含み、
前記１つ以上のホースが：
（ａ）内表面および外表面を有する熱可塑性ベニヤの最内層と；
（ｂ）前記最内層の上に配置される結合層と；
（ｃ）前記結合層の上に配置され、および前記ベニヤの前記外表面に対して適合性または接合可能であるポリマー層と、金属箔の薄層と、前記金属箔を保護する別のポリマー層とから構成される金属−ポリマー積層体と；
（ｄ）前記金属−ポリマー積層体の上に配置される、エラストマー材料からなる編組下層と；
（ｅ）前記編組下層の上に配置される補強編組層と；
（ｆ）前記補強編組層の上に配置されるエラストマー材料の外層と、
を含む、最内表面から最外表面まで配列された一連の層を含む方法。
【手続補正書】
【提出日】平成22年8月3日(2010.8.3)
【手続補正１】
【補正対象書類名】明細書
【補正対象項目名】００２３
【補正方法】変更
【補正の内容】
【００２３】
本発明の視覚システム５０の重要な特徴は、図５に例示されたような、多くの特別にマーキングされたサンプルチューブ挿入物６０であり、そして各々の異なる挿入物６０はそこに貼られた独特の三次元マーキング６２を有し、そして挿入物は、種々の高さと直径のチューブ４０を共通の吸引レベルに配置するように高さを変えるものである。一つの実施態様において、この三次元マーキング６２には、一本の水平ガイドバー６６から垂れ下がっている、黒い等間隔の０〜３個の垂直データバー６４が挿されている。挿入物６０のタイプと存在を同定するために、垂直データバー６４の有無が視覚システム５０によって定められる。典型的な実施態様において、各々の垂直データバーは、幅が約０．０５インチであり、そしてマーキング６２の底まで延びる高さを有し、マーキング６２は高さが約０．３インチで、幅が約０．９インチである。３つのデータバー６４を用いると、下表１に示されるように、最大数で８つの異なるタイプの挿入物が同定可能となる。
【手続補正２】
【補正対象書類名】明細書
【補正対象項目名】００２５
【補正方法】変更
【補正の内容】
【００２５】
図５は、どのように三次元マーキング６２が、水平ガイドバー６６から垂れ下がっている垂直データバー６４に挿されているかを例示しており、そしてまた、異なる三次元マーキング６２に対応する異なるチューブタイプも示している。実際に、オペレーターは、そこに貼られた適切な三次元マーキング６２を有する挿入物６０を、ラック４２中のチューブ開口部内に、そこにチューブ４０を置く前に、簡単に置くことになる。例えば、もし患者のサンプルが（長さが１００ｍｍの「背が高い」チューブとは対照的に）長さが約７５ｍｍの「短い」直径１３ｍｍの主チューブ４０中に含まれるならば、００１（図５における上から２番目）として挿されているマーキング６２を有する挿入物６０が、チューブ４０がその中に置かれるより前に、ラック４２内のチューブ開口部に挿されるであろう。垂直データバー６４のパターンの選択及びチューブ４０の指示された異なるタイプとの関連は特別なものでもなく、またマーキング６２とチューブ４０に関しても制限されるもので
もない。視覚システム５０と関連する同定ソフトウエアプログラムによって、マーキング６２を適切に配置して同定するための助けとして、水平ガイドバー６６が供される。マーキング６２は、３Ｍ（登録商標）ＳｃｏｔｃｈＬｉｔｅ（登録商標）Ｐｌｕｓ  Ｒｅｆｌｅｃｔｉｖｅ  Ｇｒａｐｈｉｃ  Ｆｉｌｍ  Ｓｅｒｉｅｓ  ６８０として入手可能な、永久的な感圧性粘着剤層を有する柔軟な逆反射シート上に平らな黒インクを用いて有利にスクリーン印刷される。
【手続補正３】
【補正対象書類名】明細書
【補正対象項目名】００２６
【補正方法】変更
【補正の内容】
【００２６】
図６と７は、種々のサンプルラック４２、チューブ４０、マーキング６２、チューブ４０上の栓４０Ｓの有無の例を示している。図６は特に、０１１として挿された三次元マーキング６２−１を持つ挿入物６０を有する、栓付きの「短い」小児用チューブ４０−１０ｍｍ−ｓｈｔ上、並びに００１として挿された三次元マーキング６２−３を有する栓無しの「短い」１３ｍｍ主チューブ４０−１３ｍｍ−ｓｈｔ上のチューブバーコード４０ＢＣを例示している。また、ラック４２がラック同定バーコード４２ＢＣでラベルされたものとして見られる。図７はラック４２の左端の開口部が空で、右端の開口部がＭｉｃｒｏ  Ｓａｍｐｌｅ  Ｃｕｐ４０−ＭＳＣの下に置かれた挿入物６０−４を有し、挿入物６０−４が、図５に合せて、１０１として挿されている三次元マーキング６２−ＭＳＣでマーキングされている例を示している。
【手続補正書】
【提出日】平成22年9月2日(2010.9.2)
【手続補正１】
【補正対象書類名】特許請求の範囲
【補正対象項目名】全文
【補正方法】変更
【補正の内容】
【特許請求の範囲】
【請求項１】
ヒンジ付き容器であって、
（ａ）外周部を有する底部と、
（ｂ）外周部を有する蓋と、
（ｃ）底部と蓋とを連結するヒンジにして、底部に関して開閉するように蓋をピボット廻動させ得るヒンジと、
（ｄ）外側シール部材にして、底部及び蓋の一方に関して固定状態に取り付けられ、底部及び蓋の取り付けた一方における相当する外周部の内部に少なくとも部分的に配置した外側シール部材と、
（ｅ）内側シール部材にして、底部及び蓋の他方に関して固定状態に取り付けられ、底部及び蓋の取り付けた他方における相当する外周部の内部に少なくとも部分的に配置した内側シール部材と、
を含み、
（ｆ）前記内側シール部材及び外側シール部材が、底部と蓋とを閉じたときに相互に係合してシールを形成し、底部と蓋とを開放したときは相互に脱係合して分離するように位置決めされるヒンジ付き容器。
【請求項２】
内側シール部材及び外側シール部材が湿密シールを提供する形態を有する請求項１のヒンジ付き容器。
【請求項３】
内側シール部材及び外側シール部材が釈放自在性を有する形態を有する請求項１又は２のヒンジ付き容器。
【請求項４】
底部の外周部と蓋の外周部とが実質的に相合する請求項１〜３の何れかのヒンジ付き容器。
【請求項５】
底部の外周部と蓋の外周部とが、底部と蓋とを閉じたときに実質的に整合する請求項１〜４の何れかのヒンジ付き容器。
【請求項６】
ヒンジを底部及び蓋に一体化した請求項１〜５の何れかのヒンジ付き容器。
【請求項７】
底部及び又は蓋の外周部が非丸形を有する請求項１〜６の何れかのヒンジ付き容器。
【請求項８】
以下のａ）、ｂ）、ｃ）、ｄ）、即ち、ａ）蓋及び該蓋内に取り付けたシール部材、ｂ）底部及び該底部に取り付けたシール部材、ｃ）蓋及びヒンジ、ｄ）底部及びヒンジ、の１つ以上を好ましくはポリプロピレンである同じ材料から作製した請求項１〜７の何れかのヒンジ付き容器。
【請求項９】
底部が２つの材料から作製され、一方の材料が乾燥剤同伴ポリマーである請求項１〜８の何れかのヒンジ付き容器。
【請求項１０】
底部にフィルムガイドを取り付けた請求項１〜９の何れかのヒンジ付き容器。
【請求項１１】
底部にラッチ部分を設け、蓋にキャッチを設け、蓋と底部とを閉じた時にラッチ部分がキャッチと係合するように位置決めした請求項１〜１０の何れかのヒンジ付き容器。
【請求項１２】
ラッチ部分に少なくとも１つの押し込みタブを更に設け、該押し込みタブを押し込んだときにラッチ部分がキャッチから釈放されるようにした請求項１１のヒンジ付き容器。
【請求項１３】
押し込みタブをその押し込み位置から復帰させるバネを更に含む請求項１２のヒンジ付き容器。
【請求項１４】
ラッチ部分が、蓋と底部とを閉じた時にキャッチ上の支台と係合する支台を有する請求項１１〜１３の何れかのヒンジ付き容器。
【請求項１５】
外側シール部材が外方にテーパ付けされ、
前記内側シール部材が内方にテーパ付けされ、
前記内側シール部材及び外側シール部材が、前記内方にテーパ付けされた表面と前記外方にテーパ付けされた表面とが相互に同中心状態に係合して楔止めするように位置決めされる請求項１〜１４の何れかのヒンジ付き容器。
【手続補正書】
【提出日】平成22年11月5日(2010.11.5)
【手続補正１】
【補正対象書類名】特許請求の範囲
【補正対象項目名】全文
【補正方法】変更
【補正の内容】
【特許請求の範囲】
【請求項１】
ヒト身体内での使用のための置換弁であって：
弁構成要素と；
ステント構成要素であって、該ステント構成要素の近位端に配置され、そして格子構造を規定する第１の環状カラーを含む第１の部分、複数の連結アーチを含む該弁構成要素を収容する第２の部分、および該ステント構成要素の遠位端に配置され、そして格子構造を規定する第２の環状カラーを含む第３の部分を備えるステント構成要素とを備え、
ここで、該第３の部分が、該第２の環状カラーの最遠位部分に隣接して配置される少なくとも１つの取付け要素を備え、該少なくとも１つの取付け要素が、送達デバイスへの離脱可能な取付けのための形態であり、該複数の連結アーチの各々が該第１の部分に隣接する開放端部および該第３の部分に隣接する閉鎖端部を含む、置換弁。
【請求項２】
前記少なくとも１つの取付け要素が、前記送達デバイスの相補的要素への離脱可能な取付けのための形態である幾何学的開口部を備える、請求項１に記載の置換弁。
【請求項３】
前記少なくとも１つの取付け要素が、前記送達デバイスの相補的要素への離脱可能な取付けのための形態であるワイヤ、フックまたはストラップを備える、請求項１に記載の置換弁。
【請求項４】
前記少なくとも１つの取付け要素が、少なくとも２つの取付け要素を備える、請求項１に記載の置換弁。
【請求項５】
前記少なくとも１つの取付け要素が、少なくとも３つの取付け要素を備える、請求項１に記載の置換弁。
【請求項６】
前記少なくとも１つの取付け要素が、本質的に３つの取付け要素からなる、請求項１に記載の置換弁。
【請求項７】
前記ステント構成要素がさらに、前記第１の環状カラー内に形成される環状溝を含む、請求項１に記載の置換弁。
【請求項８】
前記少なくとも１つの取付け要素が、前記ステント構成要素の中心軸に向かって少なくとも部分的に内方に突出する、請求項１に記載の置換弁。
【請求項９】
前記第３の部分が、前記第２の部分の直径より小さい直径を有する、請求項１に記載の置換弁。
【請求項１０】
ヒト身体内での使用のための置換弁であって：
弁構成要素と；
格子構造を有する第１の環状カラーを備える第１の部分；
複数の連結アーチを備える該弁構成要素を収容するような形態である第２の部分；および
格子構造および複数の取付け要素を有する第２の環状カラー備える第３の部分を備えるステント構成要素とを備え：
該第２の部分が、軸方向で該第１の部分と該第３の部分との間に配置され、各取り付け要素が該ステント構成要素の流出端部に隣接して配置され、そして該弁構成要素が該ステント構成要素に縫合される、置換弁。
【請求項１１】
前記第１の部分がさらに、環状溝を備える、請求項１０に記載の置換弁。
【請求項１２】
前記取付け要素が、開口部、フック、またはストラップを形成するワイヤを備える、請求項１０に記載の置換弁。
【請求項１３】
前記弁構成要素が、ブタの弁である、請求項１に記載の置換弁。
【請求項１４】
前記弁構成要素が、心膜から作製される、請求項１に記載の置換弁。
【請求項１５】
前記弁構成要素が、ブタの弁である、請求項１０に記載の置換弁。
【請求項１６】
前記弁構成要素が、心膜から作製される、請求項１０に記載の置換弁。
【請求項１７】
前記弁構成要素が、組織弁である、請求項１０に記載の置換弁。
【請求項１８】
ヒト身体内での使用のための置換弁であって：
弁構成要素（１００）；ならびに
第１の部分（８０２）、該弁構成要素（１００）を収容するための第２の部分（８０４）、および第３の部分（８０６）を備えるステント構成要素（８００、９００、１０００）を備え、
該第３の部分（８０６）が、送達デバイス（２３００、２４００、２５００、２６００）への離脱可能な取付けのための形態である少なくとも１つの取付け要素（８０８、８１４、８３６、９０２、１００２）を備え、
該ステント構成要素（８００、９００、１０００）が格子構造を含み、該第１の部分（８０２）が該第２の部分（８０４）および／または該第３の部分（８０６）より密な格子セルの集団を有することを特徴とする、置換弁。
【請求項１９】
前記少なくとも１つの取付け要素（８０８、８１４、８３６、９０２、１００２）が、前記送達デバイス（２３００、２４００、２５００、２６００）の相捕的要素への離脱可能な取付けのための形態である幾何学的開口部を備える、請求項１８に記載の置換弁。
【請求項２０】
前記少なくとも１つの取付け要素（８０８、８１４、８３６、９０２、１００２）が、前記送達デバイス（２３００、２４００、２５００、２６００）の相捕的要素への離脱可能な取付けのための形態であるワイヤ、フックまたはストラップを備える、請求項１８〜１９のいずれか１項に記載の置換弁。
【請求項２１】
前記少なくとも１つの取付け要素（８０８、８１４、８３６、９０２、１００２）が、少なくとも２つ、そして好ましくは３つ、そして最も好ましくは６つの取付け要素（８０８、８１４、８３６、９０２、１００２）を備える、請求項１８〜２０のいずれか１項に記載の置換弁。
【請求項２２】
前記第１の部分（８０２）が複数の独立に屈曲可能な要素（８１６）を含み、各々の屈曲可能な要素（８１６）が前記第１の部分（８０２）の格子セルの単一の閉鎖されたセルを含む、請求項１８に記載の置換弁。
【請求項２３】
前記第３の部分（８０６）が、前記ステント構成要素（１０００）の周の周りで円を集合的に形成するブレーシング要素（１００４）を備える、請求項１８に記載の置換弁。
【請求項２４】
前記ステント構成要素の格子構造が：
少なくとも１つの交連ポスト；および
該少なくとも１つの交連ポストを前記少なくとも１つの取付け要素（８０８、８１４、８３６、９０２、１００２）に接続するための少なくとも１つの支持要素を備える、請求項１８に記載の置換弁。
【請求項２５】
前記少なくとも１つの取付け要素（８０８、８１４、８３６、９０２、１００２）が、前記ステント構成要素（２００、８００）の中心軸に向かって少なくとも部分的に内方に突出する、請求項１８〜２４のいずれか１項に記載の置換弁。
【請求項２６】
前記第３の部分（８０６）が、前記第２の部分（８０４）の直径より小さい直径を有する、請求項１８〜２５のいずれか１項に記載の置換弁。
【請求項２７】
前記第１の部分（８０２）が固定要素を備え、該固定要素が環状溝を備える、請求項２２に記載の置換弁。
【請求項２８】
前記環状溝が前記複数の独立に屈曲可能な要素（８１６）から形成され、各々の屈曲可能な要素（８１６）が屈曲する変形を備え、その位置が、取付けられた一対の支柱（８１８、８２０）の長さによって決定される、請求項２７に記載の置換弁。
【請求項２９】
前記取付け要素（８０８、８１４、８３６、９０２、１００２）が、開口部、フック、またはストラップを形成するワイヤを備える、請求項１８〜２８のいずれか１項に記載の置換弁。
【請求項３０】
前記第２の部分（８０４）が、該第２の部分（８０４）の外表面から外方に突出する少なくとも１つのロック要素を備える、請求項１８〜２９のいずれか１項に記載の置換弁。
【手続補正書】
【提出日】平成22年8月27日(2010.8.27)
【手続補正１】
【補正対象書類名】特許請求の範囲
【補正対象項目名】全文
【補正方法】変更
【補正の内容】
【特許請求の範囲】
【請求項１】
脊柱支持具において：
ｉ）右骨盤の骨の前方を支持する接合具を具える１の右アームと、
ｉｉ）左骨盤の骨の前方を支持する接合具を具える１の左アームと、
を具え、前記左アームの前記接合具が、前記右アームの前記接合具からある距離だけ離れていることを特徴とする脊柱支持具。
【請求項２】
請求項１に記載の脊柱支持具が：
前記脊柱の後方を押圧するよう構成されている１の後方脊柱支持具を具えることを特徴とする脊柱支持具。
【請求項３】
請求項２に記載の脊柱支持具において、
前記１の右骨盤の前記接合具、及び
前記１の左骨盤の前記接合具のうちの少なくとも一方が、
前記１の後方脊柱支持具に対して調節可能に延在していることを特徴とする脊柱支持具。
【請求項４】
請求項２に記載の脊柱支持具において、
前記１の右アーム、及び
前記１の左アームのうちの少なくとも一方が、
前記１の後方脊柱支持具の縦軸に対して少なくとも２つの角度を成すように調節可能であることを特徴とする脊柱支持具。
【請求項５】
請求項２に記載の脊柱支持具が、前記前方の左アームと前記前方の右アームの間に延在する配列バンドを具えることを特徴とする脊柱支持具。
【請求項６】
請求項１に記載の脊柱支持具において、前記１の右アーム及び前記１の左アームが、少なくとも１の弾性アーム支持具を具えることを特徴とする脊柱支持具。
【請求項７】
請求項１乃至６のいずれか１項に記載の脊柱支持具が、少なくとも１の取り外し可能なカバーを具えることを特徴とする脊柱支持具。
【請求項８】
脊柱支持具において：
ｉ）１の後方脊柱支持具であって、
ａ）少なくとも１の脊椎を押圧するよう構成された１の上側パッド部材と；
ｂ）前記少なくとも１の脊椎より下側を押圧するよう構成された１の下側パッド部材と、を具える１の後方脊柱支持具と；
ｉｉ）骨盤の一部を囲むように構成され、前記脊柱支持具に取り付けられた湾曲部材と；
を具えることを特徴とする脊柱支持具。
【請求項９】
請求項８に記載の脊柱支持具において、前記１の後方脊柱支持具が、少なくとも２つの圧力レベルで脊柱の後方を押圧すべく調節されるよう構成されていることを特徴とする脊柱支持具。
【請求項１０】
請求項８に記載の脊柱支持具において、
前記１の上側パッド部材、及び
前記１の下側パッド部材のうちの少なくとも一方が、
前記湾曲部材に対して位置的に調節可能であることを特徴とする脊柱支持具。
【請求項１１】
請求項１０に記載の脊柱支持具において、
前記１の後方脊柱支持具が剛性の支持体を具えており；
前記１の上側パッド部材が、前記剛性の支持体の少なくとも一部を支持する圧縮性部材に対して並置されており；
前記圧縮性部材が、つる巻きバネ、及び可撓性のバンドのうちの少なくとも一方を具えることを特徴とする脊柱支持具。
【請求項１２】
請求項１１に記載の脊柱支持具において、前記１の上側パッド部材の一部が、前記１の下側パッド部材の一部に回転可能に又は弾性的に連結されていることを特徴とする脊柱支持具。
【請求項１３】
骨盤を固定する脊柱支持具を作る方法において：
ｉ．脊柱の一部を支持するように構成された後部パッドを作るステップと；
ｉｉ．前記後部パッドから前方へ右アームを延在させて、骨盤の前方に対して前記右アームの一部を支持するステップと；
ｉｉｉ．前記後部パッドから前方へ左アームを延在させて、前記骨盤の前方に対して前記右アームの一部を支持するステップと；
を具えることを特徴とする方法。
【請求項１４】
請求項２０に記載の方法が：
右骨盤の骨の少なくとも一部の周りに前記右アームを湾曲させるステップと；
左骨盤の骨の少なくとも一部の周りに前記左アームを湾曲させるステップと；
前記後部パッドによって前記脊柱の一部に対して第１の圧力が提供されるステップと；を具えることを特徴とする方法。
【請求項１５】
請求項２１に記載の方法が、前記後部パッドによって前記脊柱の一部に対して第２の圧力がかけられるように前記右アーム及び前記左アームの湾曲を調整するステップを具えることを特徴とする方法。
【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
気体注入口、気体排出口、及び薄膜多層インジケータを含むエンクロージャを含む保護装置であって、
Ａ）前記エンクロージャは、前記注入口から前記排出口へと流れる目的の蒸気を吸着することができる、吸着媒体を含み、
Ｂ）前記薄膜多層インジケータは、
ｉ）  ｉｉ）とｉｉｉ）との間に位置する、光学的厚さが、前記蒸気の存在で変化する多孔質検出層、
ｉｉ）前記エンクロージャの外側から見える半反射層及び、
ｉｉｉ）前記蒸気に対して透過性の反射層、を含み、かつ
Ｃ）前記反射層は前記媒体に十分に近く、その結果、前記媒体の少なくとも一部と前記蒸気の間の適用される蒸気濃度が平衡になると、前記蒸気は、前記媒体から前記反射層を通過して前記検出層に入り、前記検出層の光学的厚さを十分に変えて、前記半反射層を通じて見たときの前記インジケータの外観に視覚的に認識可能な変化を生じることができる、保護装置。
【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
垂直に実装される棚組立品あって、
（ａ）細長い支持レールと、
（ｂ）該支持レールに可動連結された少なくとも１つの付属品と、
（ｃ）棚組立品を壁に固定するために、支持レールと壁との間に配置された少なくとも１つの延伸剥離接着剤ストリップと、を含む、棚組立品。
【請求項２】
前記付属品は、前記支持レールに回転可能に連結される、請求項１に記載の棚組立品。
【請求項３】
前記付属品は、前記支持レールに対して約９０°以下の角度で配置される棚構造である、請求項１に記載の棚組立品。
【請求項４】
前記延伸剥離接着剤ストリップは、一端に非接着プルタブを含む両面接着剤ストリップであり、前記支持レールが壁表面に垂直に実装されるとき、非接着プルタブが該支持レールの最上部を超えて外向きに延在する、請求項１に記載の棚組立品。
【請求項５】
前記支持レールの最上部に取外し可能に連結されたカバープレートを更に備え、これにより、該カバープレートが該支持レールに連結されるとき、該カバープレートが延伸剥離接着剤ストリップの非接着プルタブ部を隠す、請求項４に記載の棚組立品。
【手続補正書】
【提出日】平成22年8月9日(2010.8.9)
【手続補正１】
【補正対象書類名】特許請求の範囲
【補正対象項目名】全文
【補正方法】変更
【補正の内容】
【特許請求の範囲】
【請求項１】
水平に壁に装着可能な棚組立体であって、
（ａ）細長い支持レールと、
（ｂ）前記支持レールに横方向に移動可能に連結された少なくとも１つのアクセサリと、
（ｃ）前記棚組立体を壁に固定するために前記支持レールと前記壁との間に配置された少なくとも１つの引き剥がし式粘着ストリップとを備える棚組立体。
【請求項２】
前記細長い支持レールが、本体部分と、前記本体部分の端部からある角度で延びている一対の脚部分と、を備え、それによって、前記棚組立体が前記壁に装着されたとき、前記本体部分を前記壁から離間する、請求項１に記載の棚組立体。
【請求項３】
前記細長い支持レールが、前記脚部分の端部に後部プレート部分を備え、前記後部プレート部分が、前記脚部分とは反対側に概ね平坦な表面を有し、更に、前記少なくとも１つの引き剥がし式粘着材が、前記後部プレートの平坦な表面に配置されている、請求項２に記載の棚組立体。
【請求項４】
前記アクセサリが、前記支持レールとの摺動係合による装着のための細長い装着溝を画定するように構成された前方保持壁部分とショルダー部分と後方保持壁部分とを備える、請求項１に記載の棚組立体。
【手続補正書】
【提出日】平成22年8月31日(2010.8.31)
【手続補正１】
【補正対象書類名】特許請求の範囲
【補正対象項目名】全文
【補正方法】変更
【補正の内容】
【特許請求の範囲】
【請求項１】
（ａ）トップレール部分と、フロントレール部分と、該トップレール部分と該フロントレール部分とを接続する１対のサイドレール部分とを含むフレームであって、各サイドレール部分が、前記トップレール部分から下向きに延びるバック部分と、該バック部分から前記フロントレール部分まで延びるボトム部分とを含み、更に、各サイドレールのバック部分と各サイドレールのボトム部分とが９０°未満の角度で配置されるフレームと、
（ｂ）前記フレームに取り外し可能に接続されたベースであって、少なくとも前記サイドレールのボトム部分の間に延びるベースと、
（ｃ）前記フレームに接続され、前記フレームを壁上に支持するように配置された少なくとも１つのバックプレートと、
（ｄ）棚を前記壁の面に固定するために、前記バックプレートと前記壁との間に配置された少なくとも１つの引き伸ばし除去可能な接着性ストリップと、を含む、壁に取り付け可能な棚。
【請求項２】
前記フレームが、ロッドから構成される、請求項１に記載の棚。
【手続補正書】
【提出日】平成22年8月31日(2010.8.31)
【手続補正１】
【補正対象書類名】特許請求の範囲
【補正対象項目名】全文
【補正方法】変更
【補正の内容】
【特許請求の範囲】
【請求項１】
（ａ）それぞれが裏板と、該裏板に接続されたフレーム部材とを含む一対の支持部材であって、各フレーム部材が、少なくとも前記裏板に接続され且つ裏板にほぼ垂直に配置された第１の支持部分と、該第１の支持部分にほぼ垂直に配置され且つ第１の支持部分から延びる延長部分と、該延長部分の端部から延び且つ前記第１の支持部分にほぼ平行に配置された第２の支持部分とを含む、一対の支持部材と、
（ｂ）前記フレーム部材の関連する前記第１の支持部分の間を延びる保管トレイと、
（ｃ）前記裏板と壁との間に配置されて、棚板システムを前記壁に固定する延伸剥離接着性ストリップとを備える、壁面取付け式棚板システム。
【請求項２】
前記フレーム部材が連続金属ロッドから構成される、請求項１に記載の棚板システム。
【手続補正書】
【提出日】平成22年9月1日(2010.9.1)
【手続補正１】
【補正対象書類名】特許請求の範囲
【補正対象項目名】全文
【補正方法】変更
【補正の内容】
【特許請求の範囲】
【請求項１】
（ａ）外周フレームと、該外周フレームに接続された複数の横断支持部材とを備える支持グリッド構造体と、
（ｂ）前記横断支持部材に取り外し可能に接続された少なくとも１つの付属品と、
（ｃ）ラックを壁面に固定するために支持グリッドと壁との間に配置された少なくとも１つの延伸除去式粘着ストリップとを備える、壁面取付け式オーガナイザラック組立体。
【請求項２】
前記ラックが、前記支持グリッドに接続された少なくとも１つの後部プレートを備え、該後部プレートが、前記壁に面する概ね平坦な表面を有し、更に、前記少なくとも１つの延伸除去式粘着ストリップが、前記後部プレートの平坦な表面上に配置されている、請求項１に記載の壁面取付け式オーガナイザラック組立体。
【請求項３】
前記横断支持部材が、一対の離間した概ね平行なロッド部分を備える環状装着ロッドを備え、一方のロッド部分は前記後部プレートに接続され、他方のロッドは前記外周フレームに接続され、これによって、前記環状装着ロッドが、前記外周フレームを前記壁から離間した関係に維持するように作用する、請求項２に記載の壁面取付け式オーガナイザラック組立体。
【手続補正書】
【提出日】平成22年8月17日(2010.8.17)
【手続補正１】
【補正対象書類名】特許請求の範囲
【補正対象項目名】全文
【補正方法】変更
【補正の内容】
【特許請求の範囲】
【請求項１】
内部チャンバを囲む略円形の筐体であって、３つの同一形状で相互に直交し同心である直円筒の交差により囲まれる共通の容積により区画される外面を有する筐体と、
前記内部チャンバ内に位置し、磁気共鳴測定装置に磁気共鳴評価信号を供給するための、内部磁気共鳴ファントム構造とを備える、磁気共鳴ファントム。
【請求項２】
前記内部チャンバが実質的に球形である、請求項1に記載の、磁気共鳴ファントム。
【請求項３】
前記筐体が、前記内部チャンバに液体を注入するための、液体通過口を備える、請求項1に記載の、磁気共鳴ファントム。
【請求項４】
前記内部ファントム構造が、前記内部チャンバ内にある液体中で形成された気泡を、当該内部ファントム構造が回転するのに従い、当該内部ファントム構造の外面に沿って移動させるために、当該内部ファントム構造の前記外面に沿って当該内部ファントム構造を貫通して区画される、一式の気泡移動通路を備える、請求項1に記載の、磁気共鳴ファント
ム。
【請求項５】
内部チャンバを囲む球形又は準球形の筐体であって、当該筐体を磁気共鳴装置内で3つ
の相互に直交する方向に択一的に位置合わせするために、当該筐体の外面に沿って区画される複数の位置合わせ基準を含む筐体と、
前記内部チャンバ内に位置する内部磁気共鳴ファントム構造とを備える磁気共鳴ファントム。
【請求項６】
前記複数の位置合わせ基準が、3つの、直交するように位置する合わせ穴を備える、請
求項5に記載の、磁気共鳴ファントム。
【請求項７】
前記複数の位置合わせ基準が、3つの、直交するように位置する合わせ突起を備える、
請求項5に記載の、磁気共鳴ファントム。
【請求項８】
前記複数の位置合わせ基準が、3つの、相互に直交する赤道合わせスロットを備える、
請求項5に記載の、磁気共鳴ファントム。
【請求項９】
前記複数の位置合わせ基準が、3つの、相互に直交する赤道合わせ凸状を備える、請求
項5に記載の、磁気共鳴ファントム。
【請求項１０】
前記筐体が実質的に球形である、請求項5に記載の、磁気共鳴ファントム。
【請求項１１】
前記内部チャンバが実質的に球形である、請求項10に記載の、磁気共鳴ファントム。
【請求項１２】
前記内部ファントム構造が、複数の積層された平行なプレートを備える、請求項5に記載の、磁気共鳴ファントム。
【請求項１３】
前記複数の積層された平行なプレートが、空間基準プレート、孔配列プレート、格子プレート、及び褶曲傾斜路プレートを含む、請求項12に記載の、磁気共鳴ファントム。
【請求項１４】
前記内部ファントム構造が、基部と、前記基部の外周に沿って前記基部から離れる方へ横方向に延びる側壁と、前記内部チャンバ内にある液体中で形成された気泡を、前記プレートが回転するのに従い、前記基部の両側を通過させるために、前記基部の前記外周に実質的に沿って区画される気泡移動通路とを有するプレートを備える、請求項5に記載の、磁気共鳴ファントム。
【請求項１５】
前記プレートが、前記基部を横断し、前記基部の前記外周に沿って間隔を置いた複数のピンを備える空間基準プレートである、請求項14に記載の、磁気共鳴ファントム。
【請求項１６】
前記内部ファントム構造が、前記内部チャンバ内にある液体中で形成された気泡を、当該内部ファントム構造が回転するのに従い、当該内部ファントム構造の外面に沿って移動させるために、当該内部ファントム構造の前記外面に沿って当該内部ファントム構造を貫通して区画される、一式の気泡移動通路を備える、請求項5に記載の、磁気共鳴ファントム。
【請求項１７】
前記筐体が1cmより大きく10cmより小さい全体寸法を有し、前記内部ファントム構造が
、複数の、立体リソグラフィにより構築された積層プレートを備える、請求項16に記載の、磁気共鳴ファントム。
【請求項１８】
内部チャンバを囲む筐体と、前記内部チャンバ内に位置する複数の積層されたプレートを備える内部磁気共鳴ファントム構造とを備え、
前記複数のプレートは、基部と、前記基部の外周に沿って前記基部から離れる方へ横方向に延びる側壁と、前記内部チャンバ内にある液体中で形成された気泡を、前記プレートが回転するのに従い、前記基部の両側を通過させるために、前記基部の前記外周に実質的に沿って区画される、一式の気泡移動通路を有するプレートとを含む、磁気共鳴ファントム。
【請求項１９】
複数の位置合わせ基準を、磁気共鳴ファントムの外面に沿って磁気共鳴装置のマッチング基準に順次合わせることにより、前記ファントムを前記磁気共鳴装置内で3つの直交す
る方位に順次方位合わせするステップであって、前記磁気共鳴ファントムは、内部チャンバを囲む球形又は準球形の筐体及び前記内部チャンバ内に位置する内部磁気共鳴ファントム構造を含む、ステップと、
前記ファントムの磁気共鳴評価を、前記3つの直交する方位のそれぞれにおいて実施す
るステップとを含む、磁気共鳴評価方法。
【請求項２０】
前記3つの円筒がそれぞれ、円筒の直径に実質的に等しい長さを有する、請求項1に記載の、磁気共鳴ファントム。
【手続補正書】
【提出日】平成22年9月6日(2010.9.6)
【手続補正１】
【補正対象書類名】特許請求の範囲
【補正対象項目名】全文
【補正方法】変更
【補正の内容】
【特許請求の範囲】
【請求項１】
（ｉ）伸長時間にわたって雌の哺乳類から複数の温度読み取りを行う工程；
（ii）不適切又は欠陥の測定値の一つ以上の特徴を有する温度読み取りを識別し、無視する工程；
（iii）該伸長時間について一つ又は幾つかの代表的な温度値を得る工程；
（iv）複数の伸長時間にわたって工程（ｉ）〜（iii）を繰り返す工程；
（ｖ）使用者に対して雌の哺乳類の受精に関する情報を提供するために排卵を指摘又は予測する代表的な温度値における一つ以上のパターンについて複数の伸長時間にわたって得られた代表的な温度値を分析する工程；
を包含する雌の哺乳類の受精に関する情報を提供する方法であって、該代表的な温度値が該伸長時間について得られた温度読み取りの最大値でも最小値でもなく、該伸長時間が１時間以上であり、該温度読み取りが留置式温度測定デバイスを用いて行なわれる方法。
【手続補正書】
【提出日】平成22年6月28日(2010.6.28)
【手続補正１】
【補正対象書類名】特許請求の範囲
【補正対象項目名】請求項８
【補正方法】変更
【補正の内容】
【請求項８】
請求項７に従った重合可能な液晶材料を液晶相に巨視的に均一配向に配列させ、前記材料を重合または架橋させてその配向状態を固定することにより得ることが可能な異方性ポリマーフィルム。
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
眼科用薬物および血管収縮剤を併用してなる眼科用経皮吸収型製剤。
【請求項２】
眼科用薬物および血管収縮剤を含有する眼科用経皮吸収型製剤。
【請求項３】
眼瞼皮膚表面に投与することを特徴とする、請求項１または２に記載の眼科用経皮吸収型製剤。
【請求項４】
眼科用薬物が前眼部組織の疾患の予防または治療剤である請求項１から３のいずれか１項に記載の眼科用経皮吸収型製剤。
【請求項５】
前眼部組織の疾患の予防または治療剤が抗アレルギー剤、ドライアイ治療剤、抗炎症剤、抗菌剤および抗緑内障剤から選択される少なくとも１つである請求項４に記載の眼科用経皮吸収型製剤。
【請求項６】
前眼部組織の疾患の予防または治療剤が抗アレルギー剤である請求項５に記載の眼科用経皮吸収型製剤。
【請求項７】
抗アレルギー剤がケトチフェン、オロパタジン、エピナスチンおよび製薬学的に許容されるそれらの塩から選択される少なくとも１つである請求項６に記載の眼科用経皮吸収型製剤。
【請求項８】
抗アレルギー剤がフマル酸ケトチフェンまたは塩酸オロパタジンである請求項７に記載の眼科用経皮吸収型製剤。
【請求項９】
血管収縮剤が塩酸フェニレフリンである請求項１から８のいずれか１項に記載の眼科用経皮吸収型製剤。
【手続補正書】
【提出日】平成22年9月1日(2010.9.1)
【手続補正１】
【補正対象書類名】特許請求の範囲
【補正対象項目名】全文
【補正方法】変更
【補正の内容】
【特許請求の範囲】
【請求項１】
式（Ｉ）により表される化合物および／またはその互変異性体を含む、哺乳類対象の消化管における重炭酸分泌を促進するための医薬組成物：
【化１】
2010502568.tif 000001
［式中、Ｗ１およびＷ２は、
【化２】
2010502568.tif 000002
であり；
Ｒ３およびＲ４は水素であり；または、それらのうちの一方がＯＨ、他方が水素であり；
Ｘ１およびＸ２は、水素、低級アルキルまたはハロゲン、ただし、それらのうちの少なくとも１つがハロゲンであり；
Ｒ２は水素または低級アルキルであり；
Ｙは、非置換またはオキソ、ハロゲン、アルキル、ヒドロキシまたはアリールにより置換された、飽和または不飽和Ｃ２−１０炭化水素鎖であり；
Ａは、−ＣＨ２ＯＨ、−ＣＯＣＨ２ＯＨ、−ＣＯＯＨまたはその機能性誘導体であり；
Ｒ１は、非置換またはハロゲン、オキソ、ヒドロキシ、低級アルキル、低級アルコキシ、低級アルカノイルオキシ、低級シクロアルキル、低級シクロアルキルオキシ、アリール、またはアリールオキシによって置換された、飽和または不飽和の、直鎖−、分岐鎖−または環−形成低級炭化水素；低級シクロアルキル；低級シクロアルキルオキシ；アリールまたはアリールオキシであり；
Ｃ−１３およびＣ−１４位間の結合が二重結合または単結合であり、そしてＣ−１５位の立体配置がＲ、Ｓまたはそれらの混合物である］。
【請求項２】
Ｘ１およびＸ２がフッ素原子である、請求項１に記載の組成物。
【請求項３】
Ａが−ＣＯＯＨである、請求項２に記載の組成物。
【請求項４】
消化管が食道、胃および／または十二指腸である、請求項１に記載の組成物。
【請求項５】
式（Ｉ）により表される化合物および／またはその互変異性体を含む、哺乳類対象において消化管を粘膜損傷から保護するための医薬組成物：
【化３】
2010502568.tif 000003
［式中、Ｗ１およびＷ２は、
【化４】
2010502568.tif 000004
であり；
Ｒ３およびＲ４は水素であり；または、それらのうちの一方がＯＨ、他方が水素であり；
Ｘ１およびＸ２は、水素、低級アルキルまたはハロゲン、ただし、それらのうちの少なくとも１つがハロゲンであり；
Ｒ２は水素または低級アルキルであり；
Ｙは、非置換またはオキソ、ハロゲン、アルキル、ヒドロキシまたはアリールにより置換された、飽和または不飽和Ｃ２−１０炭化水素鎖であり；
Ａは、−ＣＨ２ＯＨ、−ＣＯＣＨ２ＯＨ、−ＣＯＯＨまたはその機能性誘導体であり；
Ｒ１は、非置換またはハロゲン、オキソ、ヒドロキシ、低級アルキル、低級アルコキシ、低級アルカノイルオキシ、低級シクロアルキル、低級シクロアルキルオキシ、アリール、またはアリールオキシによって置換された、飽和または不飽和の、直鎖−、分岐鎖−または環−形成低級炭化水素；低級シクロアルキル；低級シクロアルキルオキシ；アリールまたはアリールオキシであり；
Ｃ−１３およびＣ−１４位間の結合が二重結合または単結合であり、そしてＣ−１５位の立体配置がＲ、Ｓまたはそれらの混合物である］。
【請求項６】
粘膜の損傷が酸によって誘発される、請求項５に記載の組成物。
【請求項７】
粘膜の損傷がペプシンによって誘発される、請求項５に記載の組成物。
【請求項８】
粘膜の損傷が非ステロイド性抗炎症薬によって誘発される、請求項５に記載の組成物。
【請求項９】
粘膜の損傷が細菌感染によって誘発される、請求項５に記載の組成物。